(57)【要約】【課題】光学式ピックアップによってディスクに信号を記録することが出来る光ディスク記録再生装置の記録制御方法を提供する。【解決手段】記録動作中にディスク１に予め記録されているディスク信号の再生信号に含まれるエラーを検出し、検出されるエラーが少ない場合にはディスク信号より得られるアドレスに基づいて記録開始位置をサーチして記録動作を開始させ、前記エラーが多い場合にはディスク１に記録されている記録信号より得られるアドレスに基づいて記録開始位置をサーチして記録動作を開始させる。【選択図】    図１
2004259345.tif 000002
【特許請求の範囲】
【請求項１】
ディスクに信号をブロック単位で記録するように構成された光ディスク記録再生装置において、記録動作中にディスクに予め記録されているディスク信号の再生信号に含まれるエラーを検出し、検出されるエラーが少ない場合にはディスク信号より得られるアドレスに基づいて記録開始位置をサーチして記録動作を開始させ、前記エラーが多い場合にはディスクに記録されている記録信号より得られるアドレスに基づいて記録開始位置をサーチして記録動作を開始させるようにしたことを特徴とする光ディスク記録再生装置の記録制御方法。
【請求項２】
ディスク信号がＡＤＩＰ信号であることを特徴とする請求項１に記載の記録制御方法。
【請求項３】
ディスク信号がＬＰＰ信号であることを特徴とする請求項１に記載の記録制御方法。
【発明の詳細な説明】
【０００１】
【発明の属する技術分野】
本発明は、光学式ピックアップに組み込まれているレーザー素子より照射される光ビームによってディスクに信号を記録するとともに光ビームによってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップに組み込まれているレーザー素子より照射される光ビームによってディスクに信号を記録することが出来るように構成された光ディスク記録再生装置が商品化されている。
【０００３】
記録用ディスクには、プリグルーブと呼ばれる溝が設けられており、このプリグルーブより得られるウォブル信号を復調することによって時間情報、即ちディスクアドレスが得られる。このプリグルーブより得られるウォブル信号によって記録されている時間情報は、ＡＤＩＰ（Ａｄｄｒｅｓｓ  ｉｎ  Ｐｒｅ−ｇｒｏｏｖｅ）と呼ばれている。
【０００４】
そして、光ディスク記録再生装置における記録動作は、ディスクより得られるＡＤＩＰであるディスクアドレスによって信号の記録位置をサーチするとともに該アドレスに一致させたデータアドレスを記録信号であるデータに付加することによって所望の位置に信号を記録するように構成されている。
【０００５】
また、ＤＶＤと呼ばれる光ディスク記録再生装置では、ホスト機器であるコンピューター装置からの記録命令に従って信号のディスクへの記録動作を行うように構成されているが、斯かる記録動作はＥＣＣと呼ばれる１ブロック単位で記録するように構成されている（例えば、特許文献１参照。）。
【０００６】
【特許文献１】
特開２００２−３１３０２７号公報
【０００７】
【発明が解決しようとする課題】
前述した光ディスク記録再生装置では、ディスクの内周側に設けられている追記記録管理領域に記録されている記録情報に基づいて記録開始位置を認識し、記録開始位置に光学式ピックアップを移動させて記録動作を開始するように構成されている。
【０００８】
記録開始位置のサーチ動作は、ディスクに予め記録されているディスク信号、即ちＡＤＩＰ信号を読み出すことによって行われるが、記録速度の高速化や記録用ディスクのバラツキによってＡＤＩＰ信号の読み出し動作を正常に行えない状況が増加しており、その場合には記録開始位置を認識することが出来ないという問題が多く発生している。
【０００９】
本発明は、斯かる問題を解決することが出来る記録制御方法を提供しようとするものである。
【００１０】
【作用】
本発明は、ディスクに信号をブロック単位で記録するように構成された光ディスク記録再生装置において、記録動作中にディスクに予め記録されているディスク信号の再生信号に含まれるエラーを検出し、検出されるエラーが少ない場合にはディスク信号より得られるアドレスに基づいて記録開始位置をサーチして記録動作を開始させ、前記エラーが多い場合にはディスクに記録されている記録信号より得られるアドレスに基づいて記録開始位置をサーチして記録動作を開始させるように構成されている。
【００１１】
【実施例】
図１は本発明に係る光ディスク記録再生装置の一実施例を示すブロック回路図、図２及び図３は本発明の記録動作を説明するための図である。
【００１２】
図１において、１はスピンドルモーター（図示せず）によって回転駆動されるディスクであり、位置情報データがプリグルーブと呼ばれる溝によって記録されており、この溝より得られるＡＤＩＰ信号に基づいて信号の記録再生動作が行われるように構成されている。２はディスク１に光ビームを照射させるレーザー素子（図示せず）及び該レーザー素子より照射される光ビームのレベルをモニターするモニター用ダイオードが組み込まれているとともにディスク１の信号面より反射される光ビームを受ける光検出器が組み込まれている光学式ピックアップであり、ピックアップ送り用モーター（図示せず）によってディスク１の径方向に移動せしめられるように構成されている。
【００１３】
３は前記光学式ピックアップ２に組み込まれている光検出器から得られるＲＦ信号を増幅するとともに波形成形するＲＦ信号増幅回路、４は前記光学式ピックアップ２に組み込まれている光検出器から得られる信号に基づいて前記光学式ピックアップ２より出力される光ビームをディスク１の信号面に合焦させるフォーカシング制御動作及び該光ビームを前記信号面の信号トラックに追従させるトラッキング制御動作を行うピックアップ制御回路であり、フォーカスサーボ回路及びトラッキングサーボ回路が組み込まれている。
【００１４】
５は前記ＲＦ信号増幅回路３より出力される信号のデジタル信号処理を行うとともに各種信号の復調動作を行うデジタル信号処理回路、６は前記デジタル信号処理回路５にて信号処理されたデジタル信号が入力される信号再生用回路であり、ディスク１に記録されている情報がオーディオ信号である場合には、アナログ信号に変換した後増幅器等に出力し、コンピューターソフトのようなデータ信号の場合にはデジタル信号のままホスト機器として設けられているコンピューター装置７に出力する作用を成すものである。
【００１５】
８は前記デジタル信号処理回路５によって復調された信号が入力されるとともに前記コンピューター装置７から出力される命令信号に応じて種々な制御動作を行うシステム制御回路である。９はテスト信号や情報信号等の記録信号が入力されるとともにその信号をエンコード処理した後レーザー駆動回路１０に供給し、該レーザー駆動回路１０によるレーザーの照射動作を制御することによってデータ信号等を前記ディスク１に記録させる信号記録用回路である。
【００１６】
１１はディスク１に記録される信号が一旦記憶されるバッファ用ＲＡＭであり、前記コンピューター装置７より出力される信号が書き込まれるとともにシステム制御回路８の制御動作によって信号の記憶動作及び読み出し動作が制御されるように構成されている。そして、前記バッファ用ＲＡＭ１１へ記憶された信号は、ディスク１に記録するべく読み出された後も記憶保持された状態にあり、その後コンピューター装置７より出力される新しい信号がその位置に記憶されることによって順次上書き消去されるように構成されている。
【００１７】
１２はディスク１への記録動作を行っているとき記録位置を示すアドレスやディスク１に設けられている追記記録管理領域に記録されている記録情報から得られるアドレスが記憶されるアドレスメモリー回路、１３は前記ＲＦ信号増幅回路３より得られる信号の中からディスク１に記録された信号を復調する記録信号デコード回路であり、復調された信号はシステム制御回路８に入力されるように接続されている。１４は前記ＲＦ信号増幅回路３より得られる信号の中からＡＤＩＰ信号、即ちディスク信号を復調するディスク信号デコード回路であり、復調された信号はシステム制御回路８に入力されるように接続されている。１５はディスク信号デコード回路１４によって復調される信号に含まれるエラー値を検出するエラー検出回路であり、エラーの大小をシステム制御回路８に出力するように構成されている。
【００１８】
斯かる構成において、ディスク１への信号の記録動作時、バッファ用ＲＡＭ１１にはコンピューター装置７から出力される信号が記憶され、その記憶されている信号の読み出し動作を制御することによってディスク１への信号の記録動作を制御するように構成されている。
【００１９】
また、ディスク１への信号の記録動作が行われている間、システム制御回路８により制御されるアドレスメモリー回路１３に正常記録動作が行われた位置の最終アドレスが記憶されるとともに読み出された記録信号の位置を示すメモリー用アドレスがシステム制御回路８に組み込まれているメモリーに記憶されるように構成されている。
【００２０】
以上の如く、本発明に係る光ディスク記録再生装置は構成されているが、次に斯様に構成された回路における再生動作について説明する。コンピューター装置７よりドライブ装置を構成するシステム制御回路８に対して再生動作を行うための命令信号が出力されると、該システム制御回路８による再生動作のための制御動作が開始される。斯かる再生動作が行われる場合には、光学式ピックアップ２に組み込まれているレーザー素子には、信号の読み出し動作を行うためのレーザー出力が得られる駆動電流がレーザー駆動回路１０より供給されるように設定されている。
【００２１】
斯かる再生動作のための制御動作が開始されると、スピンドルモーターの回転制御動作が行われるが、斯かるスピンドルモーターの回転制御動作は、ディスク１より再生される同期信号を利用して行われることになる。そして、斯かる回転制御動作は、後述する信号の記録動作時にも同様に行われる。
【００２２】
スピンドルモーターの回転制御動作は、以上の如く行われるが、信号の読み出し動作を行う光学式ピックアップ２では、フォーカシング制御動作及びトラッキング制御動作が開始されて該光学式ピックアップ２によるディスク１からの信号の読み出し動作が開始されるが、再生動作に先だってディスク１の内周側に設けられているリードイン領域に記録されているＴＯＣデータの読み出し動作が行われる。
【００２３】
ディスク１に記録されている信号記録領域に記録されている信号の読み出し再生動作は、リードイン領域に記録されているＴＯＣデータに基づいて行われることになる。前記光学式ピックアップ２によって読み出された信号は、ＲＦ信号増幅回路３を通して増幅及び波形成形された後デジタル信号処理回路５に入力されて信号の復調動作が行われる。前記デジタル信号処理回路５により信号処理が行われて情報データが抽出されると、該情報データは誤り訂正等の信号処理が行われた後、信号再生用回路６に印加される。
【００２４】
そして、前記信号再生用回路６は、ディスク１から読み出された情報データがオーディオ信号である場合には、アナログ信号に変換した後増幅器等に出力し、コンピューターソフトのようなデータ信号の場合にはデジタル信号のままコンピューター装置７に出力することになる。
【００２５】
以上に説明したように本実施例における再生動作は行われるが、次にディスク１への信号の記録動作について図２及び図３を参照して説明する。記録用のディスク１には、内周側からレーザー出力を調整するために使用される試し書き領域Ｃ、ディスク１の記録領域に記録されている信号の位置等を示す情報が記録される追記記録管理領域Ｐ、ＴＯＣデータが記録されているリードイン領域Ｌ、そしてその外側に信号が記録される信号記録領域が設けられている。
【００２６】
ディスク１に信号を記録する動作は、まずディスク１に設けられている試し書き領域Ｃにテスト信号を記録することによってディスク１の特性に最も適したレーザー出力を設定するための動作が行われる。斯かる設定動作は、レーザー出力を変化させながらテスト信号を記録するとともにその記録された信号を再生することにより行われるがその動作は周知であるので説明は省略する。
【００２７】
斯かるレーザー出力の設定動作が行われると、ディスク１の追記記録管理領域Ｐに記録されている情報データ、即ち信号記録領域に記録されている信号の位置情報等を読み出す動作が行われる。そして、このようにして読み出された情報データに基づいてディスク１に設けられている信号記録領域にデータ信号の記録動作が可能であるか、また、記録動作を行う位置は何処か等の認識動作が行われる。そして、斯かる情報データは、アドレスメモリー回路１２に記憶される。
【００２８】
斯かる認識処理動作が終了すると、光学式ピックアップ２をディスク１上の記録動作を開始する位置まで移動させる動作及びバッファ用ＲＡＭ１１への記録信号の書き込み動作が行われる。前記光学式ピックアップ２の記録開始位置への移動動作は、ディスク１に予め記録されているＡＤＩＰ信号より得られるアドレス信号を読み取ることによって行われる。光学式ピックアップ２を移動させながらアドレス信号を読み取りそのアドレス値が前記アドレスメモリー回路１２に記憶されている記録開始位置のアドレスと一致したときディスク１への記録動作が開始される。
【００２９】
一方前記バッファ用ＲＡＭ１１への信号の書き込み動作が行われると、該バッファ用ＲＡＭ１１に記憶される信号の記憶量が次第に上昇することになる。その記憶量が所定量を越えると、前記バッファ用ＲＡＭ１１に記憶されている信号を読み出し、その読み出された信号を前記信号記録用回路９に入力せしめる。その結果、前記信号記録用回路９によるレーザー駆動回路１０の制御動作が行われ、記録位置に移動した光学式ピックアップ２によってディスク１に信号が記録されることになる。
【００３０】
斯かる動作によってディスク１への信号の記録動作は行われるが、前記バッファ用ＲＡＭ１１への信号の書き込み動作は、該バッファ用ＲＡＭ１１からの信号の読み出し動作に応じて行われるように構成されている。そして、記録動作が正常に行われている状態では、ディスク１への信号の記録動作が行われる毎にその位置を示すアドレス、即ち最終アドレスをアドレスメモリー回路１２に記憶する動作が行われている。
【００３１】
前述したようにディスク１への信号の記録動作は行われるが、その記録動作はＥＣＣと呼ばれるブロック単位で記録されることになる。図２において、Ａ、Ｂ、Ｃ、Ｄがこのようにして記録されたブロックである。そして、この場合は、ブロックＤで記録動作が終了するが、その終了位置Ｄ１の位置情報であるアドレスデータがディスク１に設けられている追記記録管理領域Ｐに記録されることになる。従って、このようにして記録動作が行われたディスク１に新しく信号を記録する場合には、追記記録管理領域Ｐに記録されている記録終了位置を示すアドレスを読み出してアドレスメモリー回路１２に記憶させた後このアドレスメモリー回路１２に記憶されているアドレスを利用して光学式ピックアップ２を記録開始位置Ｄ１に移動させるという動作が行われる。
【００３２】
光学式ピックアップ２を記録開始位置Ｄ１まで移動させた後信号の記録動作が前述したように行われる。図３はこのようにして信号が記録された状態を示すものであり、記録済みであったブロックＤの次にブロックＥ及びブロックＦとして信号が記録されている。
【００３３】
以上に説明したように本実施例における記録動作は行われるが、次に本発明の要旨について説明する。ディスク１への記録動作は、前述したようにＥＣＣと呼ばれるブロック単位で記録されるが、記録信号は、信号記録用回路９によってエンコード処理されてディスク１に記録される。そして、斯かるエンコード処理としては、エラー訂正コードの記録信号への付加動作とともにアドレス情報を付加することによって行われるが、このアドレス情報は、ディスク１に予め記録されているディスク信号であるＡＤＩＰ信号に基づいて生成されてディスク１に記録される。
【００３４】
従って、ディスク１に記録されているブロックＤのアドレスＤ１までには、ディスク信号であるＡＤＩＰ信号だけでなく記録動作によって記録された信号であるアドレスも記録されていることになる。それ故、新しい信号の記録開始位置Ｄ１をサーチするために行われる光学式ピックアップ２の移動動作状態においてディスク１より再生されるアドレス信号としては、前記ディスク信号と記録信号の２つがある。
【００３５】
そして、通常の記録動作は、ディスク信号より得られるアドレスに基づいて記録開始位置のサーチ動作を行うように構成されているが、ディスク１のバラツキ等によってディスク信号、即ちＡＤＩＰ信号の読み出し動作を正確に行えない場合があり、この場合には記録開始動作を正確に行えないことになる。本発明は、斯かる問題を解決するために次のような制御動作を行うように構成されている。
【００３６】
即ち、ディスク１への記録動作は、前述したようにディスク信号に基づいて行われるが、斯かる記録動作中にディスク信号デコード回路１４によって復調される再生信号にエラー信号がどの程度含まれているかの検出動作をエラー検出回路１５が行うように構成されている。前記エラー検出回路１５の検出信号はシステム制御回路８に入力され、該システム制御回路８によってエラーが多いか少ないかの判定が行われるとともにメモリー回路にその判断結果が記憶される。
【００３７】
エラー検出回路１５によって検出されるエラーが少ないと判定されている場合には、前述した動作、即ちディスク１のディスク信号であるＡＤＩＰ信号によってアドレスを検出し、そのアドレスによって記録開始位置のサーチ動作を行う制御動作が行われる。
【００３８】
エラー検出回路１５により検出されるエラーの数が少ないと判定された場合には、前述した動作が行われるが、エラー検出回路１５により検出されるエラーの数が多いと判定された場合について説明する。
【００３９】
前記エラー検出回路１５によって検出されるエラーが多いと判定された場合には、記録開始位置のサーチ動作をディスク１のディスク信号であるＡＤＩＰ信号を利用して行うことが出来ないと判定する。このように判定された場合には、ディスク１に記録されている信号に含まれる記録信号のアドレス信号を利用して記録開始位置のサーチ動作が行われる。即ち、光学式ピックアップ２を記録動作を開始させる位置に移動させるために使用されるアドレスは、ディスク１に記録されている記録信号より得られるアドレス情報であり、記録開始位置を確実にサーチすることが出来る。
【００４０】
尚、本実施例では、ディスクに予め記録されているディスク信号としてＡＤＩＰ信号を利用したが、プリグルーブではなくランドと呼ばれる部分に記録されているＬＬＰ（Ｌａｎｄ  Ｐｒｅ−Ｐｉｔ）信号を利用することも出来る。
【００４１】
【発明の効果】
本発明は、ディスクに信号をブロック単位で記録するように構成された光ディスク記録再生装置において、記録動作中にディスクに予め記録されているディスク信号の再生信号に含まれるエラーを検出し、検出されるエラーが少ない場合にはディスク信号より得られるアドレスに基づいて記録開始位置をサーチして記録動作を開始させ、前記エラーが多い場合にはディスクに記録されている記録信号より得られるアドレスに基づいて記録開始位置をサーチして記録動作を開始させるようにしたので、ディスク信号が読めない場合であっても記録動作を正確に行うことが出来る。
【図面の簡単な説明】
【図１】本発明に係る光ディスク記録再生装置の一実施例を示すブロック回路図である。
【図２】本発明の動作を説明するための説明図である。
【図３】本発明の動作を説明するための説明図である。
【符号の説明】
１        ディスク
２        光学式ピックアップ
４        ピックアップ制御回路
５        デジタル信号処理回路
７        コンピューター装置
８        システム制御回路
１１        バッファ用ＲＡＭ
１２        アドレスメモリー回路
１３        記録信号デコード回路
１４        ディスク信号デコード回路
１５        エラー検出回路
【図１】
2004259345.tif 000003
【図２】
2004259345.tif 000004
【図３】
2004259345.tif 000005